(57)【特許請求の範囲】
【請求項１】
下階側の下部階段と上階側の上部階段との間に踊り場が形成された折り返し階段を備える住宅であって、
前記踊り場は、前記下部階段及び上部階段が占有する面積以上の面積を有するとともに、外壁の内側面に接するように配置され、
前記下階のリビング、ダイニング及び玄関は、前記踊り場と連続的な空間で接続されるとともに、
前記リビング、ダイニング及び玄関と前記踊り場とは、互いに視認可能な位置となるように配置され、
屋内には前記上階のうち、平面視において前記上部階段の幅方向一側、かつ前記踊り場及び前記上部階段と隣接する位置に、多目的に利用可能な多目的空間が設けられ、
前記多目的空間と、前記踊り場及び前記上部階段とが、前記屋内において互いに視認可能となるように構成され、
前記リビング及び前記ダイニングは、平面視において前記下部階段の幅方向他側、かつ前記踊り場及び前記下部階段と隣接する位置に配置され、
前記多目的空間と、前記リビング及び前記ダイニングとが、前記屋内において前記折り返し階段を介して互いに視認可能となるように構成される住宅。
【請求項２】
前記多目的空間の前記幅方向他側には、透明板を有する手すりが設けられ、
前記踊り場及び前記上部階段と前記多目的空間とは、前記手すりで区画される、
請求項１の住宅。
【発明の詳細な説明】
【技術分野】
【０００１】
本発明は、下階側の下部階段と上階側の上部階段との間に踊り場が形成された折り返し階段を備える住宅の技術に関する。
【背景技術】
【０００２】
従来、下階側の下部階段と上階側の上部階段との間に踊り場が形成された折り返し階段を備える住宅の技術は公知となっている。例えば、特許文献１に記載の如くである。
【０００３】
特許文献１に記載の技術では、玄関ホールから昇降可能となるように配置された折り返し階段の踊り場を、当該玄関ホールと反対側に向かって拡張させることで共有スペースを形成し、当該共有スペースをリビング及びダイニングに面するように配置している。また、玄関ホールからではなく、ダイニングから共有スペースへと移動できるように、当該ダイニングと共有スペースとを接続する階段を設けている。
【０００４】
このように構成された住宅においては、共有スペースからリビング及びダイニングを視認することができ、家族（住人）の存在を確認することができる。また、これによって、住人同士のコミュニケーションを効果的に図ることができる。
【０００５】
しかし、特許文献１に記載の技術では、玄関ホールに面した折り返し階段の踊り場と、リビング及びダイニングに面した共有スペースと、の間は、壁及び引き戸によって仕切られている。このため、共有スペースからは、玄関を出入りする家族（住人）の存在を確認し難いという問題点があった。
【先行技術文献】
【特許文献】
【０００６】
【特許文献１】特開２００３−１３８７６１号公報
【発明の概要】
【発明が解決しようとする課題】
【０００７】
本発明は以上の如き状況に鑑みてなされたものであり、その解決しようとする課題は、踊り場に居ながらも、リビング、ダイニング及び玄関に居る家族の存在を確認することができる住宅を提供することである。
【課題を解決するための手段】
【０００８】
本発明の解決しようとする課題は以上の如くであり、次にこの課題を解決するための手段を説明する。
【０００９】
即ち、請求項１においては、下階側の下部階段と上階側の上部階段との間に踊り場が形成された折り返し階段を備える住宅であって、前記踊り場は、前記下部階段及び上部階段が占有する面積以上の面積を有するとともに、外壁の内側面に接するように配置され、前記下階のリビング、ダイニング及び玄関は、前記踊り場と連続的な空間で接続されるとともに、前記リビング、ダイニング及び玄関と前記踊り場とは、互いに視認可能な位置となるように配置され、屋内には前記上階のうち、平面視において前記上部階段の幅方向一側、かつ前記踊り場及び前記上部階段と隣接する位置に、多目的に利用可能な多目的空間が設けられ、前記多目的空間と、前記踊り場及び前記上部階段とが、前記屋内において互いに視認可能となるように構成され、前記リビング及び前記ダイニングは、平面視において前記下部階段の幅方向他側、かつ前記踊り場及び前記下部階段と隣接する位置に配置され、前記多目的空間と、前記リビング及び前記ダイニングとが、前記屋内において前記折り返し階段を介して互いに視認可能となるように構成されるものである。
【００１０】
請求項２においては、前記多目的空間の前記幅方向他側には、透明板を有する手すりが設けられ、前記踊り場及び前記上部階段と前記多目的空間とは、前記手すりで区画されるものである。
【発明の効果】
【００１７】
本発明の効果として、以下に示すような効果を奏する。
【００１８】
本願発明は、踊り場に居ながらリビング、ダイニング及び玄関に居る家族を視認することができるため、当該踊り場を書斎等のスペースとして有効利用しながらも家族の存在を確認することができる。
また、踊り場から見て外壁と反対方向にリビング、ダイニング及び玄関が配置されることになり、当該リビング、ダイニング及び玄関を同時に見渡し易くすることができる。
さらに、下部階段を介して下階を視認する際の姿勢（体の向き）のまま、上部階段を介して上階を視認することも可能となり、上階の様子（上階に居る家族の存在）を確認することができる。
【図面の簡単な説明】
【００２６】
【図１】本発明の第一実施形態に係る住宅の一階部分を示した平面図。
【図２】同じく、二階部分を示した平面図。
【図３】同じく、折り返し階段の様子を示した斜視図。
【図４】同じく、踊り場からの視界を示した側面断面模式図。
【図５】本発明の第二実施形態に係る住宅の一階部分を示した平面図。
【図６】同じく、二階部分を示した平面図。
【発明を実施するための形態】
【００２７】
まず、図１及び図２を用いて、本発明の第一実施形態に係る住宅１の全体構成について説明する。
【００２８】
図１に示すように、住宅１の１階（後述する折り返し階段５０を挟んで下側の階（下階））には、玄関１０、玄関ホール１１、リビング１２、ダイニング１３、キッチン１４、廊下１５、洗面室１６、浴室１７、トイレ１８、折り返し階段５０、階段下収納１９及び玄関収納２０が配置される。
【００２９】
住宅１の南東部分に玄関１０が配置され、当該玄関１０の西側に玄関ホール１１が配置される。玄関ホール１１のさらに西側（住宅１の南西部分）にはリビング１２が配置される。リビング１２の南西角部には、畳が敷かれた略正方形の畳スペース１２ａが設けられる。
【００３０】
リビング１２の北側にはダイニング１３が配置され、ダイニング１３の西端には収納１３ａが設けられる。ダイニング１３のさらに北側（住宅１の北西部分）にはキッチン１４が配置される。
【００３１】
ダイニング１３から東に向かって廊下１５が配置され、当該廊下１５の北側（住宅１の北東部分）には洗面室１６及び浴室１７が配置される。廊下１５の東側の突き当たり部分にはトイレ１８が配置される。
【００３２】
リビング１２の北東側かつ廊下１５の南側には、折り返し階段５０が配置される。
【００３３】
廊下１５の南側（折り返し階段５０（より詳細には、後述する上部階段５２）の下方）には、階段下収納１９が配置される。
玄関１０の北側（折り返し階段５０（より詳細には、後述する踊り場５３）の下方）には、玄関収納２０が配置される。
【００３４】
図２に示すように、住宅１の２階（折り返し階段５０を挟んで上側の階（上階））には、廊下３０、主寝室３１、第一洋室３２、第二洋室３３、トイレ３４、廊下収納３５、バルコニー３６及び吹き抜け３７が配置される。
【００３５】
折り返し階段５０の西側から南側にわたって、平面視略Ｌ字状の廊下３０が配置される。廊下３０の西側（住宅１の南西部分）には主寝室３１が配置される。主寝室３１の北側には、収納３１ａが設けられる。
【００３６】
廊下３０の北西側（住宅１の北西部分）には、第一洋室３２が配置される。第一洋室３２の南側には、収納３２ａが設けられる。
廊下３０の北東側（住宅１の北東部分）には、第二洋室３３が配置される。第二洋室３３の西側には、収納３３ａが設けられる。
第一洋室３２と第二洋室３３との間には、トイレ３４が配置される。
【００３７】
廊下３０の南側には、廊下収納３５が配置される。また、廊下３０の南東側には、バルコニー３６が配置される。
廊下３０と折り返し階段５０とによって囲まれた部分（廊下３０が略Ｌ字状に屈曲した部分の内側）には、吹き抜け３７が配置される。
【００３８】
次に、図１から図３までを用いて、折り返し階段５０の構成について詳細に説明する。
【００３９】
折り返し階段５０は、下部階段５１、上部階段５２、踊り場５３及び手すり５４等を備える。
【００４０】
図１及び図２に示す折り返し階段５０は、１階（下階）側の下部階段５１と２階（上階）側の上部階段５２との間に踊り場５３が形成されたものである。下部階段５１及び上部階段５２は、踊り場５３から見て同じ方向（本実施形態においては、踊り場５３の西側）に、互いに隣接するように設けられる。
【００４１】
踊り場５３は、下部階段５１及び上部階段５２が占有する面積以上の面積を有するように広く形成される。踊り場５３の南北方向の幅は、互いに隣接するように配置された下部階段５１及び上部階段５２の幅（昇降方向（東西方向）に垂直な方向（南北方向）の幅）よりも大きくなるように形成される。踊り場５３の北端は、上部階段５２の北端と略同一位置となるように形成され、踊り場５３の南端は、下部階段５１の南端よりもさらに南方に突出するように形成される。下部階段５１の南側であって踊り場５３の南端部の西側に、前述した吹き抜け３７が配置される。
【００４２】
このように、踊り場５３は、折り返し階段５０を昇降するために最低限必要な広さ以上に広くなるように形成される。これによって、当該踊り場５３を、単に下部階段５１から上部階段５２へ（又は、上部階段５２から下部階段５１へ）と方向転換するためのスペースとして利用するだけではなく、書斎や子供の遊び場等として多目的にかつ有効に利用することができる。
【００４３】
踊り場５３の東端は、住宅１の外壁２の内側面に接するように配置される。踊り場５３と接する外壁２には、窓用開口部３が設けられる。当該窓用開口部３は、踊り場５３に立った住人が当該窓用開口部３を介して住宅１の外を視認できる程度の高さに形成される。さらに当該窓用開口部３には、ＦＩＸ窓（はめ殺し窓）３ａが取り付けられる。
【００４４】
踊り場５３の南端は、平面視において玄関１０と隣接するように配置される。踊り場５３の下方には、玄関１０と接続された収納空間である玄関収納２０が形成される。
【００４５】
上部階段５２の下方には、１階の廊下１５から利用可能な階段下収納１９が形成される。
【００４６】
図１から図３までに示すように、下部階段５１、上部階段５２及び踊り場５３の周囲には、手すり５４が設けられる。より詳細には、手すり５４は、下部階段５１の南側面、上部階段５２の南側面、並びに踊り場５３の外周であって住宅１の壁、下部階段５１及び上部階段５２と接しない部分に設けられる。手すり５４の側面は透明板５４ａで構成される。
【００４７】
このような手すり５４を設けることにより、折り返し階段５０とその他の空間（例えば、玄関１０やリビング１２等）とを完全に区切ることなく、連続的な空間で接続しながらも、下部階段５１、上部階段５２又は踊り場５３から住人が落下するのを防止することができる。また、手すり５４の側面を透明板５４ａで構成することにより、下部階段５１、上部階段５２及び踊り場５３と周囲の部屋との間の視界を確保することができる。
【００４８】
また、前述の如く、折り返し階段５０は、リビング１２の北東側かつ廊下１５の南側に配置されている。当該折り返し階段５０の位置は、ダイニング１３の東側、かつ玄関１０の北側となる。
【００４９】
次に、図１から図４までを用いて、踊り場５３からの視界について説明する。
【００５０】
上述の如く構成された住宅１においては、踊り場５３に居る住人（例えば、踊り場５３に設けられた書斎に居る住人）から、下部階段５１又は当該踊り場５３の西側に配置された手すり５４（より詳細には、手すり５４の上方又は手すり５４に設けられた透明板５４ａ）を介してリビング１２（畳スペース１２ａを含む）及びダイニング１３を視認することができる。また、踊り場５３に居る住人から、当該踊り場５３の南側に配置された手すり５４（より詳細には、手すり５４の上方又は手すり５４に設けられた透明板５４ａ）を介して玄関１０を視認することができる。
【００５１】
さらに、踊り場５３に居る住人から、外壁２に設けられた窓用開口部３（より詳細には、ＦＩＸ窓３ａ）を介して住宅１の外を視認することができる。また、踊り場５３に居る住人から、上部階段５２を介して２階（上階）を視認することができる。
【００５２】
また、上記とは逆に、リビング１２、ダイニング１３、玄関１０、２階及び住宅１の外から踊り場５３を視認することもできる。
【００５３】
以上の如く、本実施形態に係る住宅１は、１階（下階）側の下部階段５１と２階（上階）側の上部階段５２との間に踊り場５３が形成された折り返し階段５０を備える住宅１であって、踊り場５３は、下部階段５１及び上部階段５２が占有する面積以上の面積を有するとともに、外壁２の内側面に接するように配置され、１階のリビング１２、ダイニング１３及び玄関１０は、踊り場５３と連続的な空間で接続されるとともに、リビング１２、ダイニング１３及び玄関１０と踊り場５３とは、互いに視認可能な位置となるように配置されるものである。
【００５４】
このように構成することにより、踊り場５３に居ながらリビング１２、ダイニング１３及び玄関１０に居る家族（住人）を視認することができるため、当該踊り場５３を書斎等のスペースとして有効利用しながらも家族の存在を確認することができる。また、踊り場５３とその他の場所（リビング１２やダイニング１３等）にいる家族間で会話をすることもできるため、コミュニケーションをより効果的に図ることができる。
また、踊り場５３から見て外壁２と反対方向にリビング１２、ダイニング１３及び玄関１０が配置されることになり、当該リビング１２、ダイニング１３及び玄関１０を同時に見渡し易くすることができる。
さらに、下部階段５１を介して１階を視認する際の姿勢（体の向き）のまま、上部階段５２を介して２階を視認することも可能となり、２階の様子（上階に居る家族の存在）を確認することができる。
【００５５】
なお、本発明に係る住宅は、本実施形態に限るものではなく、踊り場５３からリビング、ダイニング、玄関及び上階が視認できるものであれば、その位置関係を限定するものではない。
【００５６】
また、踊り場５３は、平面視において玄関１０と隣接するように配置されるものである。
【００５７】
このように構成することにより、玄関を通る家族の存在を確認し易くすることができる。これによって、外へ外出する家族（例えば、外へ遊びに行く子供）や帰宅してきた家族とのコミュニケーションをより効果的に図ることができる。
【００５８】
また、踊り場５３の外周部のうち、外壁２、上部階段５２又は下部階段５１と接しない部分には手すり５４が設けられ、リビング１２及びダイニング１３は、下部階段５１又は手すり５４を介して踊り場５３から視認可能とされ、玄関１０は、手すり５４を介して踊り場５３から視認可能とされるものである。
【００５９】
このように構成することにより、踊り場５３からの人の落下を防止しながらも、リビング１２、ダイニング１３及び玄関１０を視認可能とすることができる。
【００６０】
なお、手すり５４を介してリビング１２等を視認する方法としては、手すり５４の上方から視認する方法や、手すり５４の透明板５４ａを介して視認する方法がある。また、透明板５４ａを設けない（例えば、手すり５４の側面に不透明な板を設ける）場合は、手すり５４（の側面）の一部に開口部を設け、当該開口部から視認するように構成しても良い。
【００６１】
また、踊り場５３と接する外壁２には、外を視認可能な窓用開口部３が設けられるものである。
【００６２】
このように構成することにより、踊り場５３に居ながら、外に居る家族の存在を確認することができる。また、当該窓用開口部３から踊り場５３に外部からの光を取り込むことができ、当該踊り場５３をより快適な空間とすることができる。
【００６３】
なお、本実施形態においては、窓用開口部３にＦＩＸ窓（はめ殺し窓）３ａを取り付けるものとしたが、本発明はこれに限るものではなく、開閉可能な窓を取り付ける構成としても良い。
【００６４】
また、踊り場５３の下方には、玄関１０から利用可能な玄関収納２０（収納空間）が設けられるものである。
【００６５】
このように構成することにより、踊り場５３の下方の空間を有効利用することができる。特に、上述の如く踊り場５３と玄関１０とを平面視において隣接するように配置した場合においては、玄関１０及び玄関収納２０も平面視において隣接することになるため、当該玄関収納２０の形成が容易であるとともに、より玄関収納２０が使い易くなる。また、玄関収納２０の床面の高さを、玄関１０の床面と同じ高さとすることで、玄関収納２０の床面から天井までの高さを（玄関ホール１１に玄関収納２０を設ける場合に比べて）高くすることができ、より玄関収納２０を使い易くすることができる。
【００６６】
また、踊り場５３は、下部階段５１及び上部階段５２の幅方向の少なくとも一方（南方）に向かって、当該下部階段５１及び上部階段５２の幅よりも突出するように形成されるものである。
【００６７】
このように構成することにより、踊り場５３の空間を広く確保し、当該踊り場５３の利便性を向上させることができる。また、踊り場５３の当該突出した部分からは、よりリビング１２やダイニング１３等が視認し易くなる。
【００６８】
なお、本実施形態に係る踊り場５３は、下部階段５１側（南方）に突出する構成としたが、本発明はこれに限るものではなく、上部階段５２側（北方）に突出する構成であっても、両側に突出する構成であっても良い。
【００６９】
また、平面視において下部階段５１及び踊り場５３と隣接する位置には、吹き抜け３７が設けられるものである。
【００７０】
このように構成することにより、下部階段５１と吹き抜け３７とにより左右方向の視界を広げることができ、リビング１２、ダイニング１３及び玄関１０と踊り場５３とを互いに視認し易くすることができる。また、踊り場５３に居る家族（住人）に対して開放感を与え、当該踊り場５３を快適な居住空間にすることができる。
【００７１】
以下では、図５及び図６を用いて、本発明の第二実施形態に係る住宅２０１について説明する。
なお、第二実施形態に係る住宅２０１のうち、第一実施形態に係る住宅１と同じ目的で利用する部屋には同じ符号を付し、説明を省略する。
【００７２】
住宅２０１の南西部分に玄関１０が配置され、当該玄関１０の北側に玄関ホール１１が配置される。また、住宅２０１の南東部分にリビング１２が配置され、当該リビング１２の北側にダイニング１３が配置される。玄関１０及び玄関ホール１１とリビング１２及びダイニング１３との間に、折り返し階段５０が配置される。
【００７３】
折り返し階段５０の踊り場５３は、住宅２０１の南側の外壁２の内側面に接するように配置される。当該外壁２には窓用開口部３が設けられ、当該窓用開口部３にＦＩＸ窓３ａが取り付けられる。
また、折り返し階段５０の下部階段５１及び上部階段５２は、踊り場５３の北側に、互いに隣接するように配置される。
【００７４】
このように構成された住宅２０１において、踊り場５３からリビング１２、ダイニング１３、玄関１０、２階及び住宅２０１の外を視認することができる。
【００７５】
また、第二実施形態に係る住宅２０１においては、２階（上階）のうち、平面視において踊り場５３と隣接する位置、より詳細には、平面視において踊り場５３の西隣り（玄関１０の上方）に、多目的に利用可能な空間として畳スペース３８が設けられる。当該畳スペース３８の東側部には手すり５４が設けられる。当該手すり５４には、透明板や開口部が設けられ、踊り場５３と畳スペース３８とが互いに視認可能となるように構成される。
【００７６】
以上の如く、本実施形態に係る住宅２０１は、
２階のうち、平面視において踊り場５３と隣接する位置に、多目的に利用可能な空間（畳スペース３８）が設けられるものである。
【００７７】
このように構成することにより、上階に設けられた畳スペース３８に居る家族の存在を、踊り場５３から確認することができる。当該畳スペース３８は家族が共有することができる空間であるため、家族同士のコミュニケーションをより効果的に図ることができる。
【符号の説明】
【００７８】
１    住宅
２    外壁
３    窓用開口部
１０  玄関
１２  リビング
１３  ダイニング
２０  玄関収納（収納空間）
３７  吹き抜け
３８  畳スペース（空間）
５０  折り返し階段
５１  下部階段
５２  上部階段
５３  踊り場
５４  手すり
【図１】
0005977496.tif 000002
【図２】
0005977496.tif 000003
【図３】
0005977496.tif 000004
【図４】
0005977496.tif 000005
【図５】
0005977496.tif 000006
【図６】
0005977496.tif 000007